(57)【特許請求の範囲】
【請求項１】
外部装置に設けられた接続部と接続される被接続部と、前記外部装置に設けられた係止部が係止位置にあるときに前記係止部と係止されて前記接続部と前記被接続部との引き抜きを規制し、前記係止部が係止解除位置にあるときに前記係止部との係止状態が解除される被係止部とを有するコネクタ本体部と、
前記コネクタ本体部を基板に固定する固定部と、
前記コネクタ本体部における前記固定部との接続部分に形成された脆弱部と、
を備えたコネクタ。
【請求項２】
前記コネクタ本体部には、前記基板に形成された複数の導電部の各々と接続される複数のピンが設けられ、
前記複数のピンのうち一のピンと他のピンとは、短絡部により短絡されている、
請求項１に記載のコネクタ。
【請求項３】
前記一のピン、前記短絡部、及び、前記他のピンは、前記基板における電源線と直列に接続される、
請求項２に記載のコネクタ。
【請求項４】
前記一のピン、前記短絡部、及び、前記他のピンは、前記基板における信号線と直列に接続される、
請求項２に記載のコネクタ。
【請求項５】
前記被接続部及び前記被係止部を有する樹脂部材と、
前記樹脂部材を収容して前記樹脂部材と共に前記コネクタ本体部を形成すると共に前記脆弱部が形成された収容部と、前記固定部とを有する金属部材と、
を備えた、
請求項１〜４のいずれか一項に記載のコネクタ。
【請求項６】
基板と、
請求項１〜請求項５のいずれか一項に記載のコネクタと、
を備えたコネクタ搭載装置。
【発明の詳細な説明】
【技術分野】
【０００１】
本願の開示する技術は、コネクタ及びコネクタ搭載装置に関する。
【背景技術】
【０００２】
従来、相手側のコネクタに挿入される挿入部と、この挿入部に形成された脆弱部とを備えた部材が知られている。
【先行技術文献】
【特許文献】
【０００３】
【特許文献１】特開２０１１−８２０８７号公報
【発明の概要】
【発明が解決しようとする課題】
【０００４】
しかしながら、この部材を引き抜いてもコネクタを破壊することはできない。
【０００５】
そこで、本願の開示する技術は、一つの側面として、正規の方法以外の方法でコネクタを引き抜いた場合にコネクタを破壊させることを目的とする。
【課題を解決するための手段】
【０００６】
上記目的を達成するために、本願の開示する技術によれば、コネクタ本体部と、固定部と、脆弱部とを備えたコネクタが提供される。コネクタ本体部は、被接続部と被係止部とを有している。被接続部は、外部装置に設けられた接続部と接続される。被係止部は、外部装置に設けられた係止部が係止位置にあるときには、係止部と係止されて、接続部と被接続部との引き抜きを規制する。また、被係止部は、係止部が係止解除位置にあるときには、係止部との係止状態が解除される。また、脆弱部は、コネクタ本体部における固定部との接続部分に形成されている。
【発明の効果】
【０００７】
本願の開示する技術によれば、正規の方法以外の方法でコネクタを引き抜いた場合にコネクタを破壊させることができる。
【図面の簡単な説明】
【０００８】
【図１】電子機器及びポートリプリケータの斜視図である。
【図２】コネクタとポートリプリケータの接続部が接続された状態を示す正面図である。
【図３】コネクタの斜視図である。
【図４】基板の配線図である。
【図５】コネクタが基板から剥離される様子を説明する図である。
【図６】コネクタが基板から剥離される様子を説明する図である。
【図７】コネクタの変形例を示す図である。
【図８】コネクタの変形例を示す図である。
【図９】基板の配線の変形例を示す図である。
【発明を実施するための形態】
【０００９】
以下、図面を参照しながら、本願の開示する技術の一実施形態を説明する。
【００１０】
図１に示される本実施形態に係る電子機器１０は、一例として、ノート型のパーソナルコンピュータとされている。図１では、この電子機器１０がポートリプリケータ７０と接続された状態で示されている。電子機器１０は、コネクタ搭載装置の一例であり、ポートリプリケータ７０は、外部装置の一例である。
【００１１】
電子機器１０は、液晶等のモニタ１２を有する表示部１４と、キーボード１６等を有する本体部１８とを備えている。本体部１８には、図２に示されるように、コネクタ２０と基板６０が備えられている。
【００１２】
コネクタ２０は、図３に示されるように、樹脂部材３０、金属部材４０、及び、複数のピン５０を備えている。樹脂部材３０は、立方体状に形成されている。この樹脂部材３０の長手方向（Ｃ方向）の両側の部位には、フック挿入穴３２がそれぞれ形成されており、この一対のフック挿入穴３２の間には、凹状の被接続部３４が形成されている。このフック挿入穴３２及び被接続部３４は、いずれもコネクタ２０の高さ方向の端面（上面）に開口されている。
【００１３】
複数のピン５０は、いずれも樹脂部材３０に一体に設けられている。図２に示されるように、複数のピン５０の一端部は、基板６０の一方の面に形成された複数の導電部６２の各々にはんだ付け等により接続されている。また、複数のピン５０のうちいくつかのピン５０の他端部は、凹状に形成された被接続部３４の底部から接続端子５２として突出されている。
【００１４】
そして、被接続部３４には、ポートリプリケータ７０に設けられた凸状の接続部７２（コネクタ）が挿入接続される。また、被接続部３４に接続部７２が挿入接続された状態では、被接続部３４に設けられた接続端子５２が、接続部７２に設けられた図示しない接続端子と接続される。
【００１５】
フック挿入穴３２は、袋状に形成されている。このフック挿入穴３２は、その開口側の部位よりも底部側の部位の方が拡径されている。このフック挿入穴３２における開口側の部位と底部側の部位の間に形成された段部は、被係止部３６として形成されている。この被係止部３６は、フック挿入穴３２の開口側と反対側（基板６０側）を向いて形成されている。
【００１６】
ポートリプリケータ７０には、接続部７２の両側にフック７４がそれぞれ設けられている。この一対のフック７４の先端部には、互いに相手側に向けて突出する係止部７６がそれぞれ形成されている。また、この一対のフック７４の基端部には、支持軸７８が設けられている。
【００１７】
そして、一対のフック７４は、この支持軸７８に支持されることにより揺動可能とされており、略垂直に起立された起立位置と、この起立位置に対して傾斜された傾斜位置とを取り得るようになっている。つまり、図２の上図では、一対のフック７４が起立位置に位置されており、図２の下図では、一対のフック７４が傾斜位置に位置されている。傾斜位置では、起立位置に対して係止部７６が互いに離間される方向（矢印Ｒ方向）に所定角度だけ回動された状態とされる。
【００１８】
また、この一対のフック７４は、支持軸７８に設けられた図示しないバネにより起立位置側に付勢されている。さらに、この一対のフック７４は、ポートリプリケータ７０に設けられた図示しない操作レバーが操作されると、起立位置から傾斜位置に変位される。
【００１９】
図２の上図に示されるように、一対のフック７４が起立位置に位置されている状態では、係止部７６が被係止部３６と係止されて接続部７２と被接続部３４との引き抜きが規制される。また、図２の下図に示されるように、一対のフック７４が傾斜位置に位置されている状態では、係止部７６と被係止部３６との係止状態が解除され、接続部７２と被接続部３４との引き抜きが可能となる。フック７４が起立位置に位置されているときの係止部７６の位置は、係止位置の一例であり、フック７４が傾斜位置に位置されているときの係止部７６の位置は、係止解除位置の一例である。
【００２０】
金属部材４０は、例えば板金製とされている。図３に示されるように、この金属部材４０は、樹脂部材３０を収容する（樹脂部材３０の周囲を囲う）枠状の収容部４２を有している。この収容部４２は、樹脂部材３０と共にコネクタ本体部２２を形成している。この収容部４２及び樹脂部材３０を有するコネクタ本体部２２は、平面視にて長方形状に形成されている。収容部４２におけるコネクタ２０の開口側の縁部には、一対の折曲片４４が形成されている。そして、この一対の折曲片４４により、樹脂部材３０の収容部４２からの引き抜きが規制されている。
【００２１】
平面視における収容部４２の四隅部であって、この収容部４２における長辺部４２Ａの端部には、基板６０側に突出された固定部４６が形成されている（図２も参照）。各固定部４６は、コネクタ本体部２２の長手方向（Ｃ方向）を幅方向とすると共に、コネクタ本体部２２の短手方向（Ｌ方向）を厚み方向として形成されている。
【００２２】
各固定部４６は、図２に示されるように、基板６０に形成された貫通孔６４に挿入され、その先端部は、基板６０の他方の面から突出されている。そして、各固定部４６の先端部は、基板６０の他方の面にはんだ６６により接続されている。また、このようにして複数の固定部４６が基板６０にはんだ付けされることにより、樹脂部材３０及び収容部４２を有するコネクタ本体部２２は、基板６０に固定されている。なお、収容部４２における長辺部４２Ａの端部は、コネクタ本体部における固定部との接続部分の一例である。この長辺部４２Ａの端部の間には、基板６０側に開口する凹部４７が形成されている。
【００２３】
また、この長辺部４２Ａの各端部（収容部４２の四隅部）には、脆弱部４８がそれぞれ形成されている。各脆弱部４８は、一対の筋溝４８Ａ，４８Ｂを有している。この一対の筋溝４８Ａ，４８Ｂは、例えばレーザ加工等により形成され、固定部４６側からコネクタ本体部２２側に向かうに従って互いの間隔が狭まるようにテーパ状に形成されている。
【００２４】
また、上述の複数のピン５０のうち一方の脆弱部４８側の一のピン５０Ａと他のピン５０Ｂとは、短絡部５３により短絡されている。基板６０には、図４に示されるように、例えばクロックジェネレータなどの電子部品５４が実装されており、電子部品５４の入力部及び出力部には、電源線５６及び信号線５８等がそれぞれ接続されている。そして、上述の一のピン５０Ａ、短絡部５３、及び、他のピン５０Ｂは、この電子部品５４に接続された電源線５６と直列に接続されている（電源線５６の一部を形成している）。
【００２５】
次に、本実施形態の作用及び効果について説明する。
【００２６】
ポートリプリケータ７０に設けられた図示しない操作レバーが操作され、図２の下図ように、一対のフック７４が傾斜位置に変位されると、係止部７６と被係止部３６との係止状態が解除される。従って、正規の方法により電子機器１０と共に基板６０がポートリプリケータ７０に対して垂直方向に引き抜かれれば、接続部７２から被接続部３４が引き抜かれ、電子機器１０がポートリプリケータ７０から取り外される。
【００２７】
このような正規の取り外し方法では、基板６０に反りなどによる力が加わることが抑制される。このため、脆弱部４８に力が集中することが抑制される。
【００２８】
一方、例えば盗難等の正規の取り外し方法でない場合には、上述の操作レバーが操作されずに電子機器１０がポートリプリケータ７０に対して斜め方向に引き抜かれる。従って、図５の上図に示されるように、基板６０の端部に対して斜め方向に引き抜き力Ｆが作用し、この力がはんだ付け部を介して固定部４６に作用する。そして、図５の中図に示されるように、脆弱部４８を形成する一対の筋溝４８Ａ，４８Ｂのうちコネクタ２０の外側に位置する筋溝４８Ａに力が集中し、この筋溝４８Ａに沿ってクラックが生じる。
【００２９】
また、この状態から引き抜き動作が進行すると、図５の下図に示されるように、ピン５０側に位置する筋溝４８Ｂにも力が加わり、この筋溝４８Ｂに沿ってクラックが生じる。その結果、固定部４６がコネクタ本体部２２（この場合、収容部４２）から切り離される。
【００３０】
また、図６の上図に示されるように、ピン５０と導電部６２とが引き剥がされ、引き抜き力Ｆが他方の脆弱部４８に作用し始める。そして、他方の脆弱部４８を形成する一対の筋溝４８Ａ，４８Ｂのうちピン５０側に位置する筋溝４８Ｂに力が集中し、この筋溝４８Ｂに沿ってクラックが生じる。
【００３１】
また、この状態から引き抜き動作がさらに進行すると、図６の中図に示されるように、コネクタ２０の外側に位置する筋溝４８Ａにも力が加わり、この筋溝４８Ａに沿ってクラックが生じる。その結果、図６の下図に示されるように、他方の固定部４６もコネクタ本体部２２から切り離され、基板６０からコネクタ本体部２２が切り離される。
【００３２】
このように、本実施形態によれば、正規の方法以外の方法で電子機器１０をポートリプリケータ７０から取り外してコネクタ２０を引き抜いた場合には、脆弱部４８を起点にしてコネクタ２０を破壊させることができる。
【００３３】
しかも、複数のピン５０のうち一のピン５０Ａと他のピン５０Ｂとは、短絡部５３により短絡されている。従って、基板６０からコネクタ本体部２２が切り離されると共に、ピン５０と導電部６２とが引き剥がされた場合には、一のピン５０Ａと接続された導電部６２と、他のピン５０Ｂと接続された導電部６２との導通を切断することができる。
【００３４】
特に、この一のピン５０Ａ、短絡部５３、及び、他のピン５０Ｂは、基板６０に実装された電子部品５４の電源線５６と直列に接続されている（図４参照）。従って、ピン５０と導電部６２とが引き剥がされた場合には、この電源線５６を部分的に切断することができる。これにより、電子部品５４への電源供給を停止させることができる。この結果、基板６０、ひいては、電子機器１０の正常な動作を停止させることができ、盗難後の電子機器１０の再利用を抑制することができる。
【００３５】
また、脆弱部４８は、収容部４２における長辺部４２Ａの端部に形成されている。従って、図５，図６に示されるように、コネクタ２０の長手方向における一方側において基板６０に斜め方向に引き抜き力Ｆが作用した場合には、一方の脆弱部４８を破壊させた後に、他方の脆弱部４８を破壊させることができる。これにより、基板６０からコネクタ本体部２２を円滑に切り離すことができる。
【００３６】
また、脆弱部４８は、平面視における収容部４２の四隅部にそれぞれ形成されているので、各脆弱部４８が破壊されることにより、基板６０からコネクタ本体部２２をより一層円滑に切り離すことができる。
【００３７】
また、脆弱部４８は、一対の筋溝４８Ａ，４８Ｂを有しており、この一対の筋溝４８Ａ，４８Ｂは、固定部４６側からコネクタ本体部２２側に向かうに従って互いの間隔が狭まるようにテーパ状に形成されている。従って、コネクタ２０の長手方向における一方側において基板６０に斜め方向に引き抜き力Ｆが作用した場合には、各筋溝４８Ａ，４８Ｂに沿って円滑にクラックを生じさせることができる。
【００３８】
また、脆弱部４８は、金属部材４０の収容部４２（金属部分）に形成されているので、脆弱部４８の形成が容易である。
【００３９】
なお、各脆弱部４８は、正規の方法により電子機器１０がポートリプリケータ７０に対して垂直方向に引き抜かれた場合においては破壊されない十分な強度を有するよう設計される。また、固定部４６のコネクタ本体部２２との接続強度（切り離されるときの強度）は、ピン５０の基板６０とのはんだ付けによる強度（引き剥がされるときの強度）よりも高く設定される。
【００４０】
次に、本実施形態の変形例について説明する。
【００４１】
上記実施形態において、脆弱部４８は、収容部４２における長辺部４２Ａの端部に形成されていたが、図７の上図に示されるように、収容部４２における短辺部４２Ｂの端部に形成されていても良い。この収容部４２における短辺部４２Ｂの端部は、コネクタ本体部における固定部との接続部分の一例である。
【００４２】
このように構成されていると、図７の下図に示されるように、コネクタ２０の短手方向（Ｌ方向）における一方側において基板６０に斜め方向に引き抜き力Ｆが作用した場合には、一方の脆弱部４８を破壊させた後に、他方の脆弱部４８を破壊させることができる。これにより、基板６０からコネクタ本体部２２を円滑に切り離すことができる。また、この場合には、脆弱部４８が長辺部４２Ａの端部に形成された場合に比して、脆弱部４８間の距離が短いため、全ての脆弱部４８を短時間に破壊させることができる。
【００４３】
また、上記実施形態において、収容部４２は、図８に示されるように、平面視における四隅部であって、長辺部４２Ａと短辺部４２Ｂとの間に面取り部４９を有していても良い。そして、脆弱部４８は、この面取り部４９に形成されていても良い。
【００４４】
このように構成されていると、引き抜き力Ｆが、コネクタ２０の長手方向（Ｃ方向）における一方側において作用する場合に加え、コネクタ２０の短手方向（Ｌ方向）における一方側において作用する場合にも脆弱部４８を破壊できる。また、この場合、面取り部４９の角度（長辺部４２Ａ又は短辺部４２Ｂとなす角度）が４５度に設定されていると、どの方向から引き抜き力Ｆが作用した場合にも脆弱部４８をバランス良く破壊させることができるので好適である。
【００４５】
なお、長辺部４２Ａは、コネクタ本体部の横方向に延びる横辺部の一例であり、短辺部４２Ｂは、コネクタ本体部の縦方向に延びる縦辺部の一例である。また、この場合に、収容部４２及び樹脂部材３０を有するコネクタ本体部２２は、横方向（Ｃ方向）を長手方向とする平面視長方形状に形成される以外に、縦方向（Ｌ方向）を長手方向とする平面視長方形状に形成されても良い。また、この場合に、コネクタ本体部２２は、平面視正方形状に形成されても良い。
【００４６】
また、上記実施形態では、コネクタ本体部２２が、平面視四角形状の一例として、横方向（Ｃ方向）を長手方向とする平面視長方形状に形成された上で、脆弱部４８が、平面視における収容部４２の四隅部にそれぞれ形成されていた。ところが、コネクタ本体部２２が縦方向（Ｌ方向）を長手方向とする平面視長方形状に形成された上で、脆弱部４８が、平面視における収容部４２の四隅部にそれぞれ形成されていても良い。また、コネクタ本体部２２が平面視正方形状に形成された上で、脆弱部４８が、平面視における収容部４２の四隅部にそれぞれ形成されていても良い。
【００４７】
また、脆弱部４８は、一対の筋溝４８Ａ，４８Ｂを有していたが、脆弱性を有していれば、例えば、スリットや薄肉部等のその他の構成とされていても良い。
【００４８】
また、一のピン５０Ａ、短絡部５３、及び、他のピン５０Ｂは、基板６０において例えばクロックジェネレータとされた電子部品５４に接続された電源線５６と直列に接続されていた。ところが、図９に示されるように、一のピン５０Ａ、短絡部５３、及び、他のピン５０Ｂは、この電子部品５４に接続された信号線５８と直列に接続されていても良い。
【００４９】
このように構成されていると、上述の如くピン５０と導電部６２とが引き剥がされた場合には、この信号線５８を部分的に切断することができる。従って、基板６０、ひいては、電子機器１０の正常な動作を停止させることができ、盗難後の電子機器１０の再利用を抑制することができる。
【００５０】
また、図９に示されるように、一のピン５０Ａ、短絡部５３、及び、他のピン５０Ｂの組み合わせが複数設けられても良い。そして、一の組み合わせを形成する一のピン５０Ａ、短絡部５３、及び、他のピン５０Ｂが電源線５６と直列に接続され、他の組み合わせを形成する一のピン５０Ａ、短絡部５３、及び、他のピン５０Ｂが信号線５８と直列に接続されても良い。
【００５１】
さらに、この電源線５６や信号線５８は、ＣＰＵ（Central Processing Unit）、チップセット、メモリ等に接続されたものであっても良い。
【００５２】
また、一のピン５０Ａ及び他のピン５０Ｂは、基板６０に形成された導電部６２に直接接続される以外に、フレキシブルケーブル等のその他の接続部材を介して導電部６２に接続されても良い。
【００５３】
また、上記実施形態では、コネクタ搭載装置の一例として、ノート型のパーソナルコンピュータである電子機器１０が用いられ、外部装置の一例として、ポートリプリケータ７０が用いられていたが、それぞれその他の装置が用いられても良い。
【００５４】
また、接続部７２は、凸型とされ、被接続部３４は、凹型とされていたが、接続部７２が凹型とされ、被接続部３４が凸型とされていても良い。
【００５５】
また、係止部７６及び被係止部３６は、フック７４及びフック挿入穴３２以外の構造において形成されていても良い。
【００５６】
また、コネクタ２０は、樹脂部材３０及び金属部材４０を有していたが、金属部材４０を有さなくても良い。また、この場合に、固定部４６及び脆弱部４８は、樹脂部材３０に形成されても良い。また、樹脂部材３０が平面視にて長方形状に形成されている場合には、この樹脂部材３０に形成されたコネクタ本体部における長辺部の端部又は短辺部の端部に形成されても良い。
【００５７】
また、脆弱部４８は、平面視における収容部４２の四隅部にそれぞれ形成されていたが、収容部４２の四隅部のうちいずれか一箇所に形成されていても良く、また、収容部４２の四隅部のうちの二箇所、又は、三箇所に形成されていても良い。
【００５８】
なお、上記複数の変形例のうち組み合わせ可能な変形例は、適宜、組み合わされて実施可能である。
【００５９】
以上、本願の開示する技術の一態様について説明したが、本願の開示する技術は、上記に限定されるものでなく、上記以外にも、その主旨を逸脱しない範囲内において種々変形して実施可能であることは勿論である。
【００６０】
なお、上述の本願の開示する技術の一態様に関し、更に以下の付記を開示する。
【００６１】
（付記１）
外部装置に設けられた接続部と接続される被接続部と、前記外部装置に設けられた係止部が係止位置にあるときに前記係止部と係止されて前記接続部と前記被接続部との引き抜きを規制し、前記係止部が係止解除位置にあるときに前記係止部との係止状態が解除される被係止部とを有するコネクタ本体部と、
前記コネクタ本体部を基板に固定する固定部と、
前記コネクタ本体部における前記固定部との接続部分に形成された脆弱部と、
を備えたコネクタ。
（付記２）
前記コネクタ本体部には、前記基板に形成された複数の導電部の各々と接続される複数のピンが設けられ、
前記複数のピンのうち一のピンと他のピンとは、短絡部により短絡されている、
付記１に記載のコネクタ。
（付記３）
前記一のピン、前記短絡部、及び、前記他のピンは、前記基板における電源線と直列に接続される、
付記２に記載のコネクタ。
（付記４）
前記電源線は、クロックジェネレータ、ＣＰＵ、チップセット、及び、メモリのいずれかに接続されている、
付記３に記載のコネクタ。
（付記５）
前記一のピン、前記短絡部、及び、前記他のピンは、前記基板における信号線と直列に接続される、
付記２に記載のコネクタ。
（付記６）
前記信号線は、クロックジェネレータ、ＣＰＵ、チップセット、及び、メモリのいずれかに接続されている、
付記５に記載のコネクタ。
（付記７）
前記コネクタ本体部は、平面視にて長方形状に形成され、
前記脆弱部は、前記コネクタ本体部における長辺部の端部に形成されている、
付記１〜付記６のいずれか一つに記載のコネクタ。
（付記８）
前記コネクタ本体部は、平面視にて長方形状に形成され、
前記脆弱部は、前記コネクタ本体部における短辺部の端部に形成されている、
付記１〜付記６のいずれか一つに記載のコネクタ。
（付記９）
前記コネクタ本体部は、平面視における縦辺部と横辺部との間に面取り部を有し、
前記脆弱部は、前記面取り部に形成されている、
付記１〜付記６のいずれか一つに記載のコネクタ。
（付記１０）
前記コネクタ本体部は、平面視にて四角形状に形成され、
前記脆弱部は、平面視における前記コネクタ本体部の四隅部にそれぞれ形成されている、
付記１〜付記９のいずれか一つに記載のコネクタ。
（付記１１）
前記固定部は、前記コネクタ本体部から基板側に突出して形成され、
前記脆弱部は、前記固定部側から前記コネクタ本体部側に向かうに従って互いの間隔が狭まるように形成された一対の筋溝を有している、
付記１〜付記１０のいずれか一つに記載のコネクタ。
（付記１２）
前記被係止部は、前記外部装置に設けられたフックが起立位置にあるときに前記係止部と係止されて前記接続部と前記被接続部との引き抜きを規制し、前記フックが前記起立位置に対して傾斜された傾斜位置にあるときに前記係止部との係止状態が解除される、
付記１〜付記１１のいずれか一つに記載のコネクタ。
（付記１３）
前記被接続部及び前記被係止部を有する樹脂部材と、
前記樹脂部材を収容して前記樹脂部材と共に前記コネクタ本体部を形成すると共に前記脆弱部が形成された収容部と、前記固定部とを有する金属部材と、
を備えたコネクタ。
付記１〜付記１２のいずれか一つに記載のコネクタ。
（付記１４）
基板と、
付記１〜付記１３のいずれか一つに記載のコネクタと、
を備えたコネクタ搭載装置。
（付記１５）
前記被接続部は、前記外部装置としてのポートリプリケータに設けられた接続部と接続され、
前記コネクタ搭載装置は、ノート型のパーソナルコンピュータである電子機器とされている、
付記１４に記載のコネクタ搭載装置。
【符号の説明】
【００６２】
１０  電子機器（コネクタ搭載装置の一例）
２０  コネクタ
２２  コネクタ本体部
３０  樹脂部材
３４  被接続部
３６  被係止部
４０  金属部材
４２  収容部
４２Ａ  長辺部
４２Ｂ  短辺部
４６  固定部
４８  脆弱部
４８Ａ，４８Ｂ  筋溝
４９  面取り部
５０  ピン
５０Ａ  一のピン
５０Ｂ  他のピン
５２  接続端子
５３  短絡部
５６  電源線
５８  信号線
６０  基板
６２  導電部
７０  ポートリプリケータ（外部装置の一例）
７２  接続部
７４  フック
７６  係止部
【図１】
0005835027.tif 000002
【図２】
0005835027.tif 000003
【図３】
0005835027.tif 000004
【図４】
0005835027.tif 000005
【図５】
0005835027.tif 000006
【図６】
0005835027.tif 000007
【図７】
0005835027.tif 000008
【図８】
0005835027.tif 000009
【図９】
0005835027.tif 000010